【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
衛星ネットワーク部分と地上ネットワーク部分とを有する通信システムであって、
衛星と、
選択された周波数でデータを送信するように構成された衛星送信機と、
前記選択された周波数でデータを受信するように構成された衛星受信機と、
前記衛星送信機及び前記衛星受信機の動作を選択的に制御する衛星タイミング制御装置と、
第１の地上局と、
前記選択された周波数でデータを送信するように構成された第１の地上送信機と、
前記選択された周波数でデータを受信するように構成された第１の地上受信機と、
前記第１の地上送信機及び前記第１の地上受信機の動作を選択的に制御するように構成された第１の地上タイミング制御装置と、
を備え、
前記衛星タイミング制御装置及び前記第１の地上タイミング制御装置は、前記それぞれの送信機と受信機とを協働的に制御して、選択された時間間隔におけるデータの送受信を制御するように構成されることにより、前記衛星送信機は第１の選択された時間間隔でデータを送信できるようになり、前記衛星受信機は第２の選択された時間間隔でデータを受信し、前記第１の地上送信機は第３の選択された時間間隔でデータを送信できるようになり、前記第１の地上受信機は、第４の選択された時間間隔でデータを受信するようになる、
ことを特徴とするシステム。
【請求項２】
前記第１、第２、第３及び第４の選択された時間間隔は順次的な時間間隔であることを特徴とする請求項１に記載のシステム。
【請求項３】
前記第１の地上局のみと通信が可能であると共に、前記選択された周波数でデータを送信するように構成された送信機と、前記選択された周波数でデータを受信するように構成された受信機と、第１のユーザ端末のタイミング制御装置とを有する第１のユーザ端末をさらに備え、
前記第１のユーザ端末のタイミング制御装置は、前記第１のユーザ端末の受信機が、前記第３の選択された時間間隔中に前記第１の地上局からデータを受信できるようにするとともに、前記第１のユーザ端末の送信機が、前記第４の選択された時間間隔中に前記第１の地上局へデータを送信できるようにするように構成されていることを特徴とする請求項１又は２に記載のシステム。
【請求項４】
前記衛星のみと通信が可能であると共に、前記選択された周波数でデータを送信するように構成された送信機を有する第２のユーザ端末と、前記選択された周波数でデータを受信するように構成された受信機と、タイミング制御装置とを有する第２のユーザ端末をさらに備え、
前記第２のユーザ端末のタイミング制御装置は、前記第２のユーザ端末の受信機が、前記第１の選択された時間間隔中に前記衛星からデータを受信できるようにするとともに、前記第２のユーザ端末の送信機が、前記第２の選択された時間間隔中に前記衛星へデータを送信できるようにするように構成されていることを特徴とする請求項３に記載のシステム。
【請求項５】
前記第１の地上局又は前記衛星と通信が可能であると共に、前記選択された周波数でデータを送信するように構成された送信機と、前記選択された周波数でデータを受信するように構成された受信機と、タイミング制御装置とを有するデュアルモードユーザ端末と、
をさらに備え、
前記デュアルモードユーザ端末のタイミング制御装置は、前記デュアルモードユーザ端末の受信機が、前記第１の選択された時間間隔中に前記衛星からデータを受信できるようにし、前記第デュアルモードユーザ端末の送信機が、前記第２の選択された時間間隔中に前記衛星へデータを送信できるようにし、前記デュアルモードユーザ端末のタイミング制御装置が、前記第３の選択された時間間隔中に前記第１の地上局からデータを受信できるようにし、前記デュアルモードユーザ端末の送信機が、前記第４の選択された時間間隔中に前記第１の地上局へデータを送信できるようにするように構成されていることを特徴とする請求項１又は２に記載のシステム。
【請求項６】
前記衛星と前記地上局とのうちの選択された一方に対して、送信されるデータ量に基づいて、複数の選択された時間間隔を割り当てるように構成された制御装置をさらに備えることを特徴とする請求項１に記載のシステム。
【請求項７】
前記衛星タイミング制御装置は、前記第１の選択された時間間隔の終了よりも、少なくとも前記衛星と前記第１の地上局との間の伝播遅延に等しい時間量だけ前に、前記衛星送信機からの送信を終了するように構成されていることを特徴とする請求項１乃至６のいずれか一項に記載のシステム。
【請求項８】
前記衛星タイミング制御装置は、前記第１の選択された時間間隔の開始よりも、少なくとも前記衛星と前記第１の地上局との間の伝播遅延に等しい時間量だけ前に、前記衛星送信機からの送信を開始するように構成されていることを特徴とする請求項１乃至７のいずれか一項に記載のシステム。
【請求項９】
前記第１の地上タイミング制御装置は、前記第３の選択された時間間隔の終了よりも、少なくとも前記第１の地上局と前記衛星との間の伝播遅延に等しい時間量だけ前に、前記第１の地上局送信機からの送信を終了するように構成されていることを特徴とする請求項１乃至８のいずれか一項に記載のシステム。
【請求項１０】
前記第１の地上タイミング制御装置は、前記第３の選択された時間間隔の開始よりも、少なくとも前記第１の地上局と前記衛星との間の伝播遅延に等しい時間量だけ前に、前記第１の地上局送信機からの送信を開始するように構成されていることを特徴とする請求項１乃至９のいずれか一項に記載のシステム。
【請求項１１】
地上及び衛星統合通信システムで使用されるタイミング補正方法であって、
地上局がデータ送信のために使用し、衛星が前記データ送信のために使用する複数の時間帯を前記通信システムが割り当てるステップと、
前記地上局と前記衛星との間の送信を制御して、前記衛星と前記地上局との間の伝播遅延時間を補正することにより前記地上局及び前記衛星による前記割り当てられた時間帯の使用を同期させるステップと、
を含むことを特徴とする方法。
【請求項１２】
各々の割り当てられた時間帯は開始時刻及び終了時刻を有し、前記地上局と前記衛星との間の送信を制御するステップは、前記衛星によるデータ送信のために割り当てられた時間帯の前記終了時刻より前に、前記衛星からの送信を終了するステップを含む、
ことを特徴とする請求項１１に記載の方法。
【請求項１３】
前記地上局と前記衛星との間の送信を制御するステップは、前記終了時刻より前記伝播遅延時間とほぼ等しい時間量だけ前に前記衛星からの送信を終了するステップを含む、
ことを特徴とする請求項１２に記載の方法。
【請求項１４】
各々の割り当てられた時間帯は開始時刻及び終了時刻を有し、前記地上局と前記衛星との間の送信を制御するステップは、前記衛星によるデータ送信のために割り当てられた時間帯の前記開始時刻前に、前記衛星からの送信を開始するステップを含む、
ことを特徴とする請求項１１乃至１３のいずれか一項に記載の方法。
【請求項１５】
前記地上局と前記衛星との間の送信を制御するステップは、前記開始時刻より前記伝播遅延時間とほぼ等しい時間量だけ前に前記衛星からの送信を開始するステップを含む、
ことを特徴とする請求項１４に記載の方法。
【請求項１６】
前記地上局は、前記衛星を介して前記地上受信機へデータを送信し、前記衛星は、割り当てられた時間帯に前記地上受信機への前記データを中継し、前記衛星は、前記割り当てられた時間帯の前記終了時刻より前の時刻に送信を終了する、
ことを特徴とする請求項１１に記載の方法。
【請求項１７】
前記地上トランシーバは、前記衛星を介して前記地上受信機へデータを送信し、前記衛星は、割り当てられた時間帯に前記地上局への前記データを中継し、前記衛星は、前記割り当てられた時間帯の前記終了時刻より前の時刻に送信を終了する、
ことを特徴とする請求項１１に記載の方法。
【請求項１８】
各々の割り当てられた時間帯は開始時刻及び終了時刻を有し、前記地上局と前記衛星との間の送信を制御するステップは、前記地上局によるデータ送信のために割り当てられた時間帯の前記終了時刻より前に前記地上局からの送信を終了するステップを含む、
ことを特徴とする請求項１１に記載の方法。
【請求項１９】
各々の割り当てられた時間帯は開始時刻及び終了時刻を有し、前記地上局と前記衛星との間の送信を制御するステップは、前記地上局によるデータ送信のために割り当てられた時間帯の前記開始時刻より前に、前記地上局からの送信を開始するステップを含む、
ことを特徴とする請求項１１に記載の方法。
【請求項２０】
前記複数の時間帯の第１、第２、第３及び第４の部分の前記割り当ては、前記地上局のカバーエリア、前記衛星のカバーエリア、又はその両方に基づく、
ことを特徴とする請求項１１に記載の方法。